【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
各スロット間に磁極ティースを有するステータコアと、
１つの前記磁極ティースの周囲あるいは２つ以上の前記磁極ティースに跨がって前記スロットに挿入されたコイルとを備えた回転電機のステータの製造方法であって、
前記コイルは、コイル線を環状に巻き取って所定のコイル形状に成形し、且つ前記コイル線同士が整列した状態で接合されてコイル全体をブロック状に固着してから前記ステータコアへ装着されることを特徴とする回転電機のステータ製造方法。
【請求項２】
請求項１に記載した回転電機のステータの製造方法において、
前記ステータコアは、直線状に展開されたストレートコアを所定形状に屈曲して設けられ、
前記コイルは、前記ストレートコアの状態で前記スロットに挿入されることを特徴とする回転電機のステータ製造方法。
【請求項３】
請求項２に記載した回転電機のステータの製造方法において、
前記ストレートコアのスロットピッチをＰ０、屈曲後の前記ステータコアのスロットピッチをＰ、磁極ティース巾をＬ、及びブロック状に固着された前記コイル全体のコイル巾をＣとした時に、以下の関係が成立することを特徴とする回転電機のステータの製造方法。
Ｐ０−Ｌ＞Ｃ＞Ｐ−Ｌ
【請求項４】
各スロット間に磁極ティースを有するステータコアと、
１つの前記磁極ティースの周囲あるいは２つ以上の前記磁極ティースに跨がって前記スロットに挿入されたコイルとを備えた回転電機のステータであって、
前記ステータコアは、直線状に展開されたストレートコアを所定形状に屈曲して設けられ、
前記コイルは、前記ストレートコアの状態でコイル線を前記磁極ティースに巻き付けながら前記スロットに挿入され、
前記ストレートコアのスロットピッチをＰ０、屈曲後の前記ステータコアのスロットピッチをＰ、磁極ティース巾をＬ、及びコイル線径をφとした時に、以下の関係が成立することを特徴とする回転電機のステータ。
Ｐ０−Ｌ＞φ＞Ｐ−Ｌ
【請求項５】
各スロット間に磁極ティースを有するステータコアと、
１つの前記磁極ティースの周囲あるいは２つ以上の前記磁極ティースに跨がって前記スロットに挿入されたコイルとを備えた回転電機のステータであって、
前記ステータコアは、直線状に展開されたストレートコアを所定形状に屈曲して設けられ、
前記コイルは、前記ストレートコアの状態で前記スロットに挿入され、
前記ストレートコアのスロットピッチをＰ０、屈曲後の前記ステータコアのスロットピッチをＰ、磁極ティース巾をＬ、及びコイル線径をφとした時に、以下の関係が成立することを特徴とする回転電機のステータ。
Ｐ０−Ｌ＞φ＞Ｐ−Ｌ
【請求項６】
各スロット間に磁極ティースを有するステータコアと、
１つの前記磁極ティースの周囲あるいは２つ以上の前記磁極ティースに跨がって前記スロットに挿入されたコイルとを備えた回転電機のステータであって、
前記ステータコアは、直線状に展開されたストレートコアを所定形状に屈曲して設けられ、
前記コイルは、コイル線（３ａ）どうしを固着してブロック状とし、前記ストレートコアの状態で前記スロットに挿入され、
前記ストレートコアのスロットピッチをＰ０、屈曲後の前記ステータコアのスロットピッチをＰ、磁極ティース巾をＬ、及びブロック状に固着された前記コイル全体のコイル巾をＣとした時に、以下の関係が成立することを特徴とする回転電機のステータ。
Ｐ０−Ｌ＞Ｃ＞Ｐ−Ｌ
【請求項７】
各スロット間に磁極ティースを有するステータコアと、１つの前記磁極ティースの周囲あるいは２つ以上の前記磁極ティースに跨がって前記スロットに挿入されたコイルとを備えた回転電機のステータの製造方法であって、
複数枚のコアシート（２０）を積層して、その長手方向に複数のスロット（２ａ）が設けられたストレートコア（２Ａ）を形成し（３−ａ）、
コイル線（３ａ）を整列させて所定のコイル形状に成形し、コイル線（３ａ）どうしを融着あるいは接合してブロック化したコイル（３）とし（３−ｂ、３−ｃ、３−ｄ）、（４−ａ、４−ｂ、４−ｃ）、
ブロック化した前記コイル（３）を前記ストレートコア（２Ａ）に組み付け（３−ｅ）、
前記コイル（３）が組み付けられたストレートコア（２Ａ）を円環状に屈曲する（３−ｆ）ことを特徴とする回転電機のステータ製造方法。
【請求項８】
請求項７記載の回転電機のステータの製造方法において、
前記コイル線（３ａ）を通電加熱または外部加熱して融着層を溶かして前記コイル線どうしを融着させることによりブロック化されることを特徴とする回転電機のステータの製造方法。
【請求項９】
請求項７記載の回転電機のステータの製造方法において、
接着剤により前記コイル線（３ａ）を接合してブロック化されることを特徴とする回転電機のステータの製造方法。
【請求項１０】
請求項７記載の回転電機のステータの製造方法において、
前記ストレートコア（２Ａ）のスロットピッチをＰ０、屈曲後の前記ステータコアのスロットピッチをＰ、磁極ティース巾をＬ、及びブロック状に固着された前記コイル全体のコイル巾をＣとした時に、以下の関係が成立することを特徴とする回転電機のステータ。
Ｐ０−Ｌ＞Ｃ＞Ｐ−Ｌ
【請求項１１】
請求項７記載の回転電機のステータの製造方法において、
前記ストレートコア（２Ａ）のスロットピッチをＰ０、屈曲後の前記ステータコアのスロットピッチをＰ、磁極ティース巾をＬ、及びコイル線径をφとした時に、以下の関係が成立することを特徴とする回転電機のステータ。
Ｐ０−Ｌ＞φ＞Ｐ−Ｌ
【手続補正２】
【補正対象書類名】明細書
【補正対象項目名】０００８
【補正方法】変更
【補正の内容】
【０００８】
（請求項４の手段）ステータコアは、直線状に展開されたストレートコアを所定形状に屈曲して設けられ、コイルは、ストレートコアの状態でコイル線を磁極ティースに巻き付けながらスロットに挿入され、ストレートコアのスロットピッチをＰ０、屈曲後のステータコアのスロットピッチをＰ、磁極ティース巾をＬ、及びコイル線径をφとした時に、以下の関係が成立する。
Ｐ０−Ｌ＞φ＞Ｐ−Ｌ
この場合、コイル線径φよりストレートコアのスロット入口巾（つまりＰ０−Ｌ）の方が大きいため、ストレートコアの状態でコイルを装着する際に、容易にスロット内へコイル線を挿入することができる。そして、ストレートコアを屈曲した後では、コイル線径φよりスロット入口巾（つまりＰ−Ｌ）の方が小さいため、スロットからのコイル線の飛び出しを防止できる。この結果、従来使用していたウェッジ部品を廃止してコストダウンを図ることができる。
（請求項５の手段）ストレートコアのスロットピッチをＰ０、屈曲後のステータコアのスロットピッチをＰ、磁極ティース巾をＬ、及びコイル線径をφとした時に、Ｐ０−Ｌ＞φ＞Ｐ−Ｌの関係が成立する。この場合、コイル線径φよりストレートコアのスロット入口巾（つまりＰ０−Ｌ）の方が大きいため、ストレートコアの状態でコイルを装着する際に、容易にスロット内へコイル線を挿入することができる。そして、ストレートコアを屈曲した後では、コイル線径φよりスロット入口巾（つまりＰ−Ｌ）の方が小さいため、スロットからのコイル線の飛び出しを防止できる。
（請求項６の手段）コイルは、コイル線（３ａ）どうしを固着してブロック状とし、ストレートコアの状態で前記スロットに挿入され、ストレートコアのスロットピッチをＰ０、屈曲後のステータコアのスロットピッチをＰ、磁極ティース巾をＬ、及びブロック状に固着された前記コイル全体のコイル巾をＣとした時に、Ｐ０−Ｌ＞Ｃ＞Ｐ−Ｌの関係が成立する。この場合、ブロック状に固着されたコイル全体のコイル巾Ｃより、ストレートコアのスロット入口巾（つまりＰ０−Ｌ）の方が大きいため、ストレートコアの状態でコイルを装着する際に、容易にスロット内へコイルを挿入することができる。そして、ストレートコアを屈曲した後では、ブロック状に固着されたコイル全体のコイル巾Ｃより、スロット入口巾（つまりＰ−Ｌ）の方が小さいため、スロットからのコイルの飛び出しを防止できる。
（請求項７の手段）各スロット間に磁極ティースを有するステータコアと、１つの前記磁極ティースの周囲あるいは２つ以上の前記磁極ティースに跨がって前記スロットに挿入されたコイルとを備えた回転電機のステータの製造方法であって、複数枚のコアシート（２０）を積層して、その長手方向に複数のスロット（２ａ）が設けられたストレートコア（２Ａ）を形成し（３−ａ）、コイル線（３ａ）を整列させて所定のコイル形状に成形し、コイル線（３ａ）どうしを融着あるいは接合してブロック化したコイル（３）とし（３−ｂ、３−ｃ、３−ｄ）、（４−ａ、４−ｂ、４−ｃ）、ブロック化した前記コイル（３）を前記ストレートコア（２Ａ）に組み付け（３−ｅ）、前記コイル（３）が組み付けられたストレートコア（２Ａ）を円環状に屈曲する（３−ｆ）ことを特徴とする回転電機のステータ製造方法。この場合、コイルをコアへ装着する際に、コイルが崩れることがないため、スロット内への挿入が容易である。
（請求項８の手段）コイル線（３ａ）を通電加熱または外部加熱して融着層を溶かしてコイル線どうしを融着させることによりブロック化されることを特徴とする。
（請求項９の手段）接着剤によりコイル線（３ａ）を接合してブロック化される。
（請求項１０の手段）コイルは、コイル線（３ａ）どうしを固着してブロック状とし、ストレートコアの状態で前記スロットに挿入され、ストレートコアのスロットピッチをＰ０、屈曲後のステータコアのスロットピッチをＰ、磁極ティース巾をＬ、及びブロック状に固着された前記コイル全体のコイル巾をＣとした時に、Ｐ０−Ｌ＞Ｃ＞Ｐ−Ｌの関係が成立する。この場合、ブロック状に固着されたコイル全体のコイル巾Ｃより、ストレートコアのスロット入口巾（つまりＰ０−Ｌ）の方が大きいため、ストレートコアの状態でコイルを装着する際に、容易にスロット内へコイルを挿入することができる。そして、ストレートコアを屈曲した後では、ブロック状に固着されたコイル全体のコイル巾Ｃより、スロット入口巾（つまりＰ−Ｌ）の方が小さいため、スロットからのコイルの飛び出しを防止できる。
（請求項１１の手段）ストレートコアのスロットピッチをＰ０、屈曲後のステータコアのスロットピッチをＰ、磁極ティース巾をＬ、及びコイル線径をφとした時に、Ｐ０−Ｌ＞φ＞Ｐ−Ｌの関係が成立する。この場合、コイル線径φよりストレートコアのスロット入口巾（つまりＰ０−Ｌ）の方が大きいため、ストレートコアの状態でコイルを装着する際に、容易にスロット内へコイル線を挿入することができる。そして、ストレートコアを屈曲した後では、コイル線径φよりスロット入口巾（つまりＰ−Ｌ）の方が小さいため、スロットからのコイル線の飛び出しを防止できる。